(57)【要約】【課題】モアレを低減できる表示装置を得る。【解決手段】映像を表示する表示部と、液晶層とバリア電極（透明電極１１１，１１２，１２１，１２２）を含み、光を透過および遮断する、所定の方向に延伸する複数の液晶バリア（開閉部１１，１２）を有する液晶バリア部とを備える。上記バリア電極は、所定の方向に延伸する幹部分６１と、幹部分から延伸する複数の枝部分６３とを有する。上記液晶バリア部は、１の系列の液晶バリアを少なくとも含み、１の系列の液晶バリアは、互いに異なるパターンのバリア電極を有する。【選択図】図８
2012226151.tif 000002
【特許請求の範囲】
【請求項１】
映像を表示する表示部と、
液晶層とバリア電極とを含み、光を透過および遮断する、所定の方向に延伸する複数の液晶バリアを有する液晶バリア部と
を備え、
前記バリア電極は、
前記所定の方向に延伸する幹部分と、
前記幹部分から延伸する複数の枝部分と
を有し、
前記液晶バリア部は、１の系列の液晶バリアを少なくとも含み、
前記１の系列の液晶バリアは、互いに異なるパターンの前記バリア電極を有する
表示装置。
【請求項２】
前記液晶バリア部は、複数の第１系列の液晶バリアと複数の第２系列の液晶バリアとを有し、
同一系列の液晶バリアは、互いに異なるパターンの前記バリア電極を有する
請求項１に記載の表示装置。
【請求項３】
前記バリア電極は、前記幹部分に対して互いに反対側に形成された複数の第１の枝部分および複数の第２の枝部分を有し、
前記第１の枝部分は、前記第２の枝部分の延伸方向と異なる方向に延伸する
請求項２に記載の表示装置。
【請求項４】
同一系列の互いに隣接する所定数の液晶バリアに属するバリア電極の前記第１の枝部分は、互いに同じ方向に延伸し、
同一系列の互いに隣接する所定数の液晶バリアに属するバリア電極の前記第２の枝部分は、互いに同じ方向に延伸する
請求項３に記載の表示装置。
【請求項５】
同一系列の互いに隣接する一組の液晶バリアのうちの一方の液晶バリアに属するバリア電極の前記第１の枝部分は、他方の液晶バリアに属するバリア電極の前記第１の枝部分の延伸方向と異なる方向に延伸し、
同一系列の互いに隣接する一組の液晶バリアのうちの一方の液晶バリアに属するバリア電極の前記第２の枝部分は、他方の液晶バリアに属するバリア電極の前記第２の枝部分の延伸方向と異なる方向に延伸する
請求項３に記載の表示装置。
【請求項６】
前記複数の枝部分は、
前記幹部分に対して互いに反対側に配置された第１の枝領域および第２の枝領域のうちのいずれか一方において同じ方向に延伸する
請求項２に記載の表示装置。
【請求項７】
同一系列の互いに隣接する一組の液晶バリアのうちの一方の液晶バリアに属するバリア電極の前記枝部分は、他方の液晶バリアに属するバリア電極の前記枝部分とは異なる枝領域に形成されている
請求項６に記載の表示装置。
【請求項８】
同一系列の互いに隣接する所定数の液晶バリアに属するバリア電極の前記枝部分は、互いに同じ方向に延伸する
請求項６に記載の表示装置。
【請求項９】
前記液晶層の一方の側に設けられ、前記表示部の表示面内における垂直方向および水平方向のうちの一方の方向に偏光した光を通過させる第１の偏光板と、
前記液晶層の、前記第１の偏光板が設けられた側とは反対側に設けられ、前記垂直方向および前記水平方向のうちの他方の方向に偏光した光を通過させる第２の偏光板と
をさらに備え、
前記複数の枝部分は、前記水平方向から時計まわりもしくは反時計まわりに４５度傾いた方向に延伸する
請求項１に記載の表示装置。
【請求項１０】
前記所定の方向は、前記表示部の表示面内における垂直方向および水平方向のどちらとも異なる方向である
請求項１に記載の表示装置。
【請求項１１】
３次元映像表示モードおよび２次元映像表示モードを含む複数の表示モードを有し、
前記３次元映像表示モードでは、前記表示部が複数の異なる視点映像を表示し、前記複数の第１系列の液晶バリアが透過状態になるとともに、前記複数の第２系列の液晶バリアが遮断状態になることにより、３次元映像を表示し、
前記２次元映像表示モードでは、前記表示部が１つの視点映像を表示し、前記複数の第１系列の液晶バリアおよび前記複数の第２系列の液晶バリアが透過状態になることにより、２次元映像を表示する
請求項２に記載の表示装置。
【請求項１２】
前記複数の第１系列の液晶バリアは、複数のバリアグループにグループ分けされ、
前記３次元映像表示モードでは、前記複数の第１系列の液晶バリアは、バリアグループごとに、時分割的に透過状態および遮断状態との間で切り換わる
請求項１１に記載の表示装置。
【請求項１３】
前記表示部は液晶表示部であり、
バックライトをさらに備え、
前記液晶表示部は、前記バックライトと前記液晶バリア部との間に配置されている
請求項１に記載の表示装置。
【請求項１４】
前記表示部は液晶表示部であり、
バックライトをさらに備え、
前記液晶バリア部は、前記バックライトと前記液晶表示部との間に配置されている
請求項１に記載の表示装置。
【請求項１５】
映像を表示する表示部の表示面と離間して配置され、液晶層とバリア電極を含み、光を透過および遮断する、所定の方向に延伸する複数の液晶バリアを備え、
前記バリア電極は、
前記所定の方向に延伸する幹部分と、
前記幹部分から延伸する複数の枝部分と
を有し、
前記液晶バリアは、少なくとも１の系列を構成し、
前記１の系列の液晶バリアは、互いに異なるパターンの前記バリア電極を有する
バリア装置。
【発明の詳細な説明】
【技術分野】
【０００１】
本開示は、立体視表示が可能なパララックスバリア方式の表示装置、およびそのような表示装置に用いられるバリア装置に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。パララックスバリア方式では、例えば、表示部と重ね合わせるようにバリア部を設け、表示部に互いに視差がある複数の映像（視点映像）を同時に表示し、観察者は、バリア部のスリットを介してその映像を観察する。これにより、表示装置と観察者の視点との相対的な位置関係（角度）によって見える映像が異なるため、観察者は、その表示映像をより自然な立体映像として視認するようになっている。
【０００４】
ところで、このようなパララックスバリア方式の表示装置では、表示装置と観察者との位置関係によっては、モアレが発生するおそれがある。そこで、このような表示装置に関して、モアレの低減を図るいくつかの提案がなされている。例えば、特許文献１には、クロストークおよびモアレの発生を低減するために、バリア部のスリットを表示画面の斜め方向に延伸するように構成した、パララックスバリア方式の表示装置が提案されている。
【先行技術文献】
【特許文献】
【０００５】
【特許文献１】特開２００５−８６５０６号公報
【発明の概要】
【発明が解決しようとする課題】
【０００６】
このような表示装置では、モアレが殆ど見えなくなるのが望ましく、モアレのさらなる低減が期待されている。
【０００７】
本開示はかかる問題点に鑑みてなされたもので、その目的は、モアレを低減できる表示装置およびバリア装置を提供することにある。
【課題を解決するための手段】
【０００８】
本開示の表示装置は、表示部と、液晶バリア部とを備えている。表示部は、映像を表示するものである。液晶バリア部は、液晶層とバリア電極を含み、光を透過および遮断する、所定の方向に延伸する複数の液晶バリアを有するものである。上記バリア電極は、所定の方向に延伸する幹部分と、幹部分から延伸する複数の枝部分とを有する。上記液晶バリア部は、１の系列の液晶バリアを少なくとも含み、１の系列の液晶バリアは、互いに異なるパターンのバリア電極を有するものである。
【０００９】
本開示のバリア装置は、映像を表示する表示部の表示面と離間して配置され、液晶層とバリア電極を含み、光を透過および遮断する、所定の方向に延伸する複数の液晶バリアを備えている。上記バリア電極は、所定の方向に延伸する幹部分と、幹部分から延伸する複数の枝部分とを有する。上記液晶バリアは、少なくとも１の系列を構成し、１の系列の液晶バリアは、互いに異なるパターンのバリア電極を有するものである。
【００１０】
本開示の表示装置およびバリア装置では、複数の液晶バリアを透過状態にすることにより、表示部に表示された映像が観察者に視認される。バリア電極は、所定の方向に延伸する幹部分と、幹部分から延伸する複数の枝部分とを有するように形成されている。１の系列の液晶バリアは、互いに異なるパターンのバリア電極を有している。
【発明の効果】
【００１１】
本開示の表示装置およびバリア装置によれば、所定の方向に延伸する幹部分と、幹部分から延伸する複数の枝部分とを有するように形成したので、モアレを低減することができる。
【図面の簡単な説明】
【００１２】
【図１】本開示の実施の形態に係る立体表示装置の一構成例を表すブロック図である。
【図２】図１に示した立体表示装置の一構成例を表す説明図である。
【図３】図１に示した表示駆動部および表示部の一構成例を表すブロック図である。
【図４】図１に示した表示部の一構成例を表す説明図である。
【図５】図４に示したサブ画素の一構成例を表す回路図である。
【図６】図１に示した液晶バリア部の一構成例を表す説明図である。
【図７】図６に示した開閉部のグループ構成例を表す説明図である。
【図８】第１の実施の形態に係る透明電極の一構成例を表す平面図である。
【図９】図１に示した表示部および液晶バリア部の関係を表す模式図である。
【図１０】図１に示した表示部および液晶バリア部の一動作例を表す模式図である。
【図１１】第１の実施の形態に係る透明電極の一構成例を表す他の平面図である。
【図１２】第１の実施の形態に係る視野角特性を表す説明図である。
【図１３】比較例１に係る透明電極の一構成例を表す平面図である。
【図１４】比較例１に係る透明電極の一構成例を表す他の平面図である。
【図１５】比較例１に係る透明電極の一構成例を表す他の平面図である。
【図１６】比較例１に係る立体表示装置におけるモアレを説明するための説明図である。
【図１７】比較例２に係る透明電極の一構成例を表す平面図である。
【図１８】比較例２に係る透明電極の一構成例を表す他の平面図である。
【図１９】比較例２に係る視野角特性を表す説明図である。
【図２０】比較例２に係る透明電極の他の構成例を表す平面図である。
【図２１】第１の実施の形態の変形例に係る透明電極の一構成例を表す平面図である。
【図２２】第１の実施の形態の変形例に係る透明電極の一構成例を表す他の平面図である。
【図２３】第２の実施の形態に係る透明電極の一構成例を表す平面図である。
【図２４】第２の実施の形態に係る透明電極の一構成例を表す他の平面図である。
【図２５】第２の実施の形態の変形例に係る透明電極の一構成例を表す平面図である。
【図２６】第２の実施の形態の変形例に係る透明電極の一構成例を表す他の平面図である。
【図２７】変形例に係る立体表示装置の一構成例を表す説明図である。
【図２８】変形例に係る立体表示装置の一動作例を表す模式図である。
【図２９】他の変形例に係る表示部および液晶バリア部の一動作例を表す模式図である。
【図３０】他の変形例に係る透明電極の一構成例を表す平面図である。
【図３１】他の変形例に係る透明電極の一構成例を表す平面図である。
【発明を実施するための形態】
【００１３】
以下、本開示の実施の形態について、図面を参照して詳細に説明する。なお、説明は以下の順序で行う。
１．第１の実施の形態
２．第２の実施の形態
【００１４】
＜１．第１の実施の形態＞
［構成例］
（全体構成例）
図１は、本開示の第１の実施の形態に係る立体表示装置の一構成例を表すものである。なお、本開示の実施の形態に係るバリア装置は、本実施の形態により具現化されるので、併せて説明する。立体表示装置１は、制御部４０と、表示駆動部５０と、表示部２０と、バックライト駆動部４２と、バックライト３０と、バリア駆動部４１と、液晶バリア部１０とを備えている。
【００１５】
制御部４０は、外部より供給される映像信号Ｓdispに基づいて、表示駆動部５０、バックライト駆動部４２、およびバリア駆動部４１に対してそれぞれ制御信号を供給し、これらがお互いに同期して動作するように制御する回路である。具体的には、制御部４０は、表示駆動部５０に対して映像信号Ｓdispに基づく映像信号Ｓを供給し、バックライト駆動部４２に対してバックライト制御信号ＣＢＬを供給し、バリア駆動部４１に対してバリア制御信号ＣＢＲを供給するようになっている。ここで、映像信号Ｓは、立体表示装置１が立体視表示を行う場合に、後述するように、それぞれが複数（この例では６つ）の視点映像を含む映像信号ＳＡ，ＳＢから構成されるものである。
【００１６】
表示駆動部５０は、制御部４０から供給される映像信号Ｓに基づいて表示部２０を駆動するものである。表示部２０は、この例では液晶表示部であり、液晶表示素子を駆動して、バックライト３０から射出した光を変調することにより表示を行うようになっている。
【００１７】
バックライト駆動部４２は、制御部４０から供給されるバックライト制御信号ＣＢＬに基づいてバックライト３０を駆動するものである。バックライト３０は、表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１８】
バリア駆動部４１は、制御部４０から供給されるバリア制御信号ＣＢＲに基づいて液晶バリア部１０を駆動するものである。液晶バリア部１０は、バックライト３０から射出し表示部２０を透過した光を透過（開動作）または遮断（閉動作）するものであり、液晶を用いて構成された複数の開閉部１１，１２（後述）を有している。
【００１９】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、および液晶バリア部１０の順に配置されている。つまり、バックライト３０から射出した光は、表示部２０および液晶バリア部１０を介して、観察者に届くようになっている。
【００２０】
（表示駆動部５０および表示部２０）
図３は、表示駆動部５０および表示部２０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓを映像信号Ｓ１としてデータドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐixへ供給するようになっている。
【００２１】
図４は、表示部２０の一構成例を表すものであり、（Ａ）は画素の配列を示し、（Ｂ）は表示部２０の断面構成を示す。
【００２２】
図４（Ａ）に示したように、表示部２０には、画素Ｐixがマトリクス状に配置されている。各画素Ｐixは、赤色（Ｒ）、緑色（Ｇ）、青色（Ｂ）にそれぞれ対応する３つのサブ画素ＳＰixを有している。サブ画素ＳＰix間には、いわゆるブラックマトリクスが形成され、バックライト３０から射出され、表示部２０に入射した光が遮光されるようになっている。これにより、表示部２０では、赤色（Ｒ）、緑色（Ｇ）、青色（Ｂ）の混色がおこりにくくなっている。
【００２３】
表示部２０は、図４（Ｂ）に示したように、駆動基板２０１と対向基板２０５との間に、液晶層２０３を封止したものである。駆動基板２０１は、上記ＴＦＴ素子Ｔｒを含む画素駆動回路（図示せず）が形成されたものであり、この駆動基板２０１上には、サブ画素ＳＰix毎に画素電極２０２が配設されている。対向基板２０５には、赤色（Ｒ）、緑色（Ｇ）、青色（Ｂ）に対応するカラーフィルタ（図示せず）やブラックマトリクス（図示せず）が形成されており、更に液晶層２０３側の面には、対向電極２０４が各サブ画素ＳＰixに共通の電極として配設されている。表示部２０の光入射側（ここでは、バックライト３０側）および光出射側（ここでは、液晶バリア部１０側）には、偏光板２０６ａ，２０６ｂが、互いにクロスニコルまたはパラレルニコルとなるように貼り合わせられている。
【００２４】
図５は、サブ画素ＳＰixの回路図の一例を表すものである。サブ画素ＳＰixは、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ５２に接続され、データ線Ｄはデータドライバ５３に接続されている。
【００２５】
（液晶バリア部１０）
図６は、液晶バリア部１０の一構成例を表すものであり、（Ａ）は液晶バリア部１０における開閉部の配置構成を示し、（Ｂ）は（Ａ）の液晶バリア部１０におけるＶＩ−ＶＩ矢視方向の断面構成を示す。液晶バリア部１０はノーマリーブラック動作を行うものである。つまり、液晶バリア部１０は、駆動されていない状態では光を遮断するものである。
【００２６】
液晶バリア部１０は、いわゆるパララックスバリアであり、図６（Ａ）に示したように、光を透過または遮断する複数の開閉部（液晶バリア）１１，１２を有している。これらの開閉部１１，１２は、立体表示装置１が通常表示（２次元表示）および立体視表示のどちらを行うかにより、異なる動作を行う。具体的には、開閉部１１は、後述するように、通常表示の際には開状態（透過状態）になり、立体視表示を行う際には、閉状態（遮断状態）となるものである。開閉部１２は、後述するように、通常表示の際には開状態（透過状態）、立体視表示の際には、時分割的に開閉動作を行うものである。
【００２７】
これらの開閉部１１および開閉部１２は、ＸＹ平面における一方向（ここでは、例えば垂直方向Ｙから所定の角度θをなす方向）に延在して設けられている。角度θは、例えば１８度に設定可能である。開閉部１１の幅Ｅ１と、開閉部１２の幅Ｅ２とは、互いに異なっており、ここでは例えばＥ１＞Ｅ２となっている。但し、開閉部１１，１２の幅の大小関係はこれに限定されず、Ｅ１＜Ｅ２であってもよく、また、Ｅ１＝Ｅ２であってもよい。このような開閉部１１，１２は、液晶層（後述する液晶層１９）を含んで構成されており、この液晶層１９への駆動電圧によって、開閉が切り替わるようになっている。
【００２８】
液晶バリア部１０は、図６（Ｂ）に示したように、例えばガラス等からなる透明基板１３と透明基板１６との間に液晶層１９を備えたものである。この例では、透明基板１３が光入射側、透明基板１６が光出射側に配置されている。透明基板１３の液晶層１９側の面、および透明基板１６の液晶層１９側の面には、例えばＩＴＯなどからなる透明電極層１５，１７がそれぞれ形成されている。透明基板１３の光入射側および透明基板１６の光出射側には、偏光板１４，１８が貼り合わせられている。液晶層１９は、例えば、ＶＡ（垂直配向）モードの液晶が用いられる。
【００２９】
透明電極層１５は、複数の透明電極１１０（透明電極１１１，１１２）および透明電極１２０（透明電極１２１，１２２）を有している。そして、透明電極層１７は、各開閉部１１，１２に共通の電極として設けられている。この例では、透明電極層１７には０Ｖが印加されている。透明電極層１５の透明電極１１０と、透明電極層１７におけるその透明電極１１０に対応する部分とは、開閉部１１を構成している。同様に、透明電極層１５の透明電極１２０と、透明電極層１７におけるその透明電極１２０に対応する部分とは、開閉部１２を構成している。これらの透明電極層１５，１７の液晶層１９側の面には、図示しない配向膜がそれぞれ形成されている。
【００３０】
偏光板１４，１８は、液晶層１９への入射光および出射光の各偏光方向を制御するものである。偏光板１４の透過軸は、例えば水平方向Ｘの方向に配置され、偏光板１８の透過軸は、例えば垂直方向Ｙの方向に配置される。すなわち、偏光板１４，１８の各透過軸は、互いに直交するように配置される。
【００３１】
この構成により、液晶バリア部１０では、透明電極１１０，１２０に電圧を選択的に印加し、液晶層１９がその電圧に応じた液晶配向になることにより、開閉部１１，１２毎の開閉動作を行うことができるようになっている。具体的には、透明電極層１５（透明電極１１０，１２０）および透明電極層１７に電圧を印加してその電位差が大きくなると、液晶層１９における光の透過率が増大し、開閉部１１，１２は透過状態（開状態）になる。一方、その電位差が小さくなると、液晶層１９における光の透過率が減少し、開閉部１１，１２は遮断状態（閉状態）となる。
【００３２】
液晶バリア部１０では、複数の開閉部１２はグループを構成し、同じグループに属する複数の開閉部１２は、立体視表示を行う際、同じタイミングで開動作および閉動作を行うようになっている。次に、開閉部１２のグループについて説明する。
【００３３】
図７は、開閉部１２のグループ構成例を表すものである。開閉部１２は、この例では２つのグループを構成している。具体的には、並設された複数の開閉部１２が、交互にグループＡおよびグループＢを構成するようになっている。なお、以下では、グループＡに属する開閉部１２の総称として開閉部１２Ａを適宜用い、同様に、グループＢに属する開閉部１２の総称として開閉部１２Ｂを適宜用いるものとする。
【００３４】
図８は、透明電極層１５の一構成例を表すものである。透明電極１１１，１１２、および透明電極１２１，１２２は、それぞれ、幹部分６１と枝部分６３とを有している。幹部分６１は、開閉部１１，１２の延伸方向と同じ方向（垂直方向Ｙから所定の角度θをなす方向）に延伸している。透明電極１１１，１１２、および透明電極１２１，１２２には、それぞれ、幹部分６１により区切られた２つの枝領域７１，７２が設けられている。なお、図８では、説明の便宜上、透明電極１１１，１１２にのみ枝領域７１，７２を図示したが、透明電極１２１，１２２についても同様である。
【００３５】
枝部分６３は、各枝領域７１，７２において、幹部分６１から延びるように形成されている。枝部分６３のライン幅は、枝領域７１，７２において互いに等しくなっており、同様に、枝部分６３の間隔（スリット幅）も、これらの枝領域７１，７２において互いに等しくなっている。各枝領域７１，７２における枝部分６３は、各領域内において同じ方向に延伸するとともに、枝領域ごとに異なる方向に延伸している。具体的には、枝領域７１の枝部分６３の延伸方向と、枝領域７２の枝部分６３の延伸方向とは、垂直方向Ｙを軸として対して線対称になっている。
【００３６】
開閉部１１に係る透明電極１１１と透明電極１１２では、枝部分６３の延伸方向が互いに異なっている。具体的には、枝領域７１の枝部分６３は、透明電極１１１では、水平方向Ｘから反時計まわりに所定の角度φだけ回転させた方向に延伸しているが、透明電極１１２では、水平方向Ｘから時計まわりに所定の角度φだけ回転させた方向に延伸している。また、枝領域７２の枝部分６３は、透明電極１１１では、水平方向Ｘから時計まわりに所定の角度φだけ回転させた方向に延伸しているが、透明電極１１２では、水平方向Ｘから反時計まわりに所定の角度φだけ回転させた方向に延伸している。角度φは、例えば４５度が望ましい。
【００３７】
同様に、開閉部１２に係る透明電極１２１と透明電極１２２では、枝部分６３の延伸方向が互いに異なっている。具体的には、枝領域７１の枝部分６３は、透明電極１２１では、水平方向Ｘから反時計まわりに所定の角度φだけ回転させた方向に延伸しているが、透明電極１２２では、水平方向Ｘから時計まわりに所定の角度φだけ回転させた方向に延伸している。また、枝領域７２の枝部分６３は、透明電極１２１では、水平方向Ｘから時計まわりに所定の角度φだけ回転させた方向に延伸しているが、透明電極１２２では、水平方向Ｘから反時計まわりに所定の角度φだけ回転させた方向に延伸している。
【００３８】
図８に示したように、透明電極層１５では、透明電極１１１，１１２および透明電極１２１，１２２が、水平方向Ｘに沿って、透明電極１１１，１２１，１１１，１２１，１１２，１２２，１１２，１２２の順に配置されるとともに、この８本の透明電極を単位Ｕとして繰り返し配置されている。単位Ｕを構成する８本の透明電極のうち、２本目の透明電極１２１および６本目の透明電極１２２は、開閉部１２Ａを構成するものであり、４本目の透明電極１２１および８本目の透明電極１２２は、開閉部１２Ｂを構成するものである。そして、残りの透明電極（１本目および３本目の透明電極１１１、ならびに５本目および７本目の透明電極１１２）は、開閉部１１を構成するようになっている。このように、液晶バリア部１０には、開閉部１１および開閉部１２（開閉部１２Ａ，１２Ｂ）が交互に配置されている。
【００３９】
バリア駆動部４１は、立体視表示を行う際、同じグループに属する複数の開閉部１２が同じタイミングで開閉動作を行うように駆動する。具体的には、バリア駆動部４１は、後述するように、グループＡに属する複数の開閉部１２Ａと、グループＢに属する複数の開閉部１２Ｂとを、時分割的に交互に開閉動作するように駆動する。
【００４０】
図９は、立体視表示および通常表示（２次元表示）を行う場合の液晶バリア部１０の状態を、断面構造を用いて模式的に表すものであり、（Ａ）は立体視表示を行う一状態を示し、（Ｂ）は立体視表示を行う他の状態を示し、（Ｃ）は通常表示を行う状態を示す。この例では、開閉部１２Ａは、表示部２０の６つの画素Ｐixに１つの割合で設けられている。同様に、開閉部１２Ｂは、表示部２０の６つの画素Ｐixに１つの割合で設けられている。図９では、液晶バリア部１０の開閉部１１，１２Ａ，１２Ｂのうち、光が遮断される開閉部を斜線で示している。
【００４１】
立体視表示を行う場合には、表示駆動部５０に映像信号ＳＡ，ＳＢが交互に供給され、表示部２０はそれらに基づいて表示を行う。そして、液晶バリア部１０では、開閉部１２（開閉部１２Ａ，１２Ｂ）が時分割的に開閉動作を行い、開閉部１１が閉状態（遮断状態）を維持する。具体的には、映像信号ＳＡが供給された場合には、図９（Ａ）に示したように、開閉部１２Ａが開状態になるとともに、開閉部１２Ｂが閉状態になる。表示部２０では、後述するように、この開閉部１２Ａに対応した位置に配置された互いに隣接する６つの画素Ｐixが、映像信号ＳＡに含まれる６つの視点映像に対応する表示を行う。これにより、観察者は、後述するように、例えば左眼と右眼とで異なる視点映像を見ることにより、表示された映像を立体的な映像として感じるようになっている。同様に、映像信号ＳＢが供給された場合には、図９（Ｂ）に示したように、開閉部１２Ｂが開状態になるとともに、開閉部１２Ａが閉状態になる。表示部２０では、後述するように、この開閉部１２Ｂに対応した位置に配置された互いに隣接する６つの画素Ｐixが、映像信号ＳＢに含まれる６つの視点映像に対応する表示を行う。これにより、観察者は、後述するように、例えば左眼と右眼とで異なる視点映像を見ることにより、表示された映像を立体的な映像として感じるようになっている。立体表示装置１では、このように、開閉部１２Ａと開閉部１２Ｂを交互に開放して映像を表示することにより、後述するように、表示装置の解像度を高めることができるようになっている。
【００４２】
通常表示（２次元表示）を行う場合には、液晶バリア部１０では、図９（Ｃ）に示したように、開閉部１１および開閉部１２（開閉部１２Ａ，１２Ｂ）がともに開状態（透過状態）を維持するようになっている。これにより、観察者は、映像信号Ｓに基づいて表示部２０に表示された通常の２次元映像をそのまま見ることができる。
【００４３】
ここで、透明電極１１１，１１２，１２１、１２２は、本開示における「バリア電極」の一具体例に対応する。開閉部１１，１２は、本開示における「液晶バリア」の一具体例に対応する。開閉部１２は、本開示における「第１系列の液晶バリア」の一具体例に対応し、開閉部１１は、本開示における「第２系列の液晶バリア」の一具体例に対応する。枝領域７１における枝部分６３は、本開示における「第１の枝部分」の一具体例に対応し、枝領域７２における枝部分６３は、本開示における「第２の枝部分」の一具体例に対応する。
【００４４】
［動作および作用］
続いて、本実施の形態の立体表示装置１の動作および作用について説明する。
【００４５】
（全体動作概要）
まず、図１を参照して、立体表示装置１の全体動作概要を説明する。制御部４０は、外部より供給される映像信号Ｓdispに基づいて、表示駆動部５０、バックライト駆動部４２、およびバリア駆動部４１に対してそれぞれ制御信号を供給し、これらがお互いに同期して動作するように制御する。バックライト駆動部４２は、制御部４０から供給されるバックライト制御信号ＣＢＬに基づいてバックライト３０を駆動する。バックライト３０は、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部４１は、制御部４０から供給されるバリア制御命令ＣＢＲに基づいて液晶バリア部１０を駆動する。液晶バリア部１０の開閉部１１，１２（１２Ａ，１２Ｂ）は、バリア制御命令ＣＢＲに基づいて開閉動作を行い、バックライト３０から射出し表示部２０を透過した光を透過または遮断する。
【００４６】
（立体視表示の詳細動作）
次に、立体視表示を行う場合の詳細動作を説明する。
【００４７】
図１０は、表示部２０および液晶バリア部１０の動作例を表すものであり、（Ａ）は、映像信号ＳＡが供給された場合を示し、（Ｂ）は映像信号ＳＢが供給された場合を示す。
【００４８】
映像信号ＳＡが供給された場合には、図１０（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐixにそれぞれ表示される。映像信号ＳＡが供給された場合には、液晶バリア部１０では、開放部１２Ａが開状態（透過状態）になるとともに、開放部１２Ｂが閉状態になるように制御される。表示部２０の各画素Ｐixから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【００４９】
映像信号ＳＢが供給された場合には、図１０（Ｂ）に示したように、表示部２０の画素Ｐixのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐixにそれぞれ表示される。映像信号ＳＢが供給された場合には、液晶バリア部１０では、開放部１２Ｂが開状態（透過状態）になるとともに、開放部１２Ａが閉状態になるように制御される。表示部２０の各画素Ｐixから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【００５０】
このように、観察者は、左眼と右眼とで、画素情報Ｐ１〜Ｐ６のうちの異なる画素情報を見ることとなり、観察者は立体的な映像として感じることができる。また、開閉部１２Ａと開閉部１２Ｂを時分割的に交互に開放して映像を表示することにより、観察者は、互いにずれた位置に表示される映像を平均化して見ることとなる。よって、立体表示装置１は、開閉部１２Ａのみをもつ場合に比べ、２倍の解像度を実現することが可能となる。言い換えれば、立体表示装置１の解像度は、２次元表示の場合に比べ１／３（＝１／６×２）で済むこととなる。
【００５１】
（視野角特性およびモアレについて）
次に、立体表示装置１の視野角特性およびモアレについて説明する。
【００５２】
図１１は、立体視表示に係る開閉部１２の電極パターンを表すものであり、（Ａ）は映像信号ＳＡが供給された場合を示し、（Ｂ）は映像信号ＳＢが供給された場合を示す。なお、図１１では、開状態（透過状態）にある開閉部の電極パターンのみを示している。
【００５３】
映像信号ＳＡが供給された場合には、図１１（Ａ）に示したように、単位Ｕの８つの透明電極に係る開閉部のうち、２つの透明電極１２１，１２２に係る開閉部１２Ａが開状態になる。液晶層１９における液晶分子Ｍは、図１１（Ａ）に示したように、これらの透明電極１２１，１２２の枝部分６３の延伸方向に配向する。このとき、隣接する開閉部１２Ａにおける液晶分子Ｍの配向パターンは、透明電極１２１，１２２の電極パターンの違いに対応して、互いに異なったものとなる。
【００５４】
同様に、映像信号ＳＢが供給された場合には、図１１（Ｂ）に示したように、単位Ｕの８つの透明電極に係る開閉部のうち、２つの透明電極１２１，１２２に係る開閉部１２Ｂが開状態になる。この場合でも、隣接する開閉部１２Ｂにおける液晶分子Ｍの配向パターンは、透明電極１２１，１２２の電極パターンの違いに対応して、互いに異なったものとなる。
【００５５】
図１２は、立体視表示時における立体表示装置１の視野角特性を表すものである。図１２において、左右方向は立体表示装置１の表示面の水平方向に対応し、上下方向は表示画面の垂直方向に対応している。図１２は、白色表示時の明るさを等高線で示したものであり、中心に近づくほど明るくなっていることを示している。また、破線は、明るさがピークの半分に対応する等高線を示している。
【００５６】
図１２に示したように、等高線は、左右方向および上下方向に対称になっている。このことは、立体表示装置１では、例えば、表示画面に向かって、右方向の所定角度から見た明るさと、左方向のその所定角度から見た明るさがほぼ等しいことを意味し、同様に、上方向の所定角度から見た明るさと、下方向のその所定角度から見た明るさがほぼ等しいことを意味する。すなわち、立体表示装置１の視野角特性は、左右方向および上下方向に対称になっている。
【００５７】
このように、立体表示装置１では、映像信号ＳＡに基づく表示を行う場合と、映像信号ＳＢに基づく表示を行う場合のそれぞれにおいて、互いに異なる電極パターンを有する透明電極１２０（透明電極１２１，１２２）を同時に開状態にしたので、左右方向および上下方向に視野角特性を対称にすることができる。
【００５８】
以上、立体視表示を行う場合における視野角特性を説明したが、通常表示（２次元表示）を行う場合でも同様である。通常表示を行う場合には、開閉部１２に加えて開閉部１１も開状態（透過状態）になる。図８に示したように、単位Ｕの８つの透明電極のうち、２つの透明電極１１１および２つの透明電極１１２が、開閉部１１に係るものである。よって、通常表示を行う場合では、透明電極１２０（透明電極１２１，１２２）に加え、互いに異なる電極パターンを有する透明電極１１０（透明電極１１１，１１２）を同時に開状態にしたので、立体視表示を行う場合と同様に、左右方向および上下方向に視野角特性を対称にすることができる。
【００５９】
また、立体表示装置１では、透明電極１１０（透明電極１１１，１１２）および透明電極１２０（透明電極１２１，１２２）は、２つの枝領域７１，７２を有している。すなわち、各透明電極１１０，１２０は、いわゆる２ドメインの構成である。これにより、以下に比較例と対比して説明するように、モアレを低減することができる。
【００６０】
次に、いくつかの比較例と対比して、本実施の形態の作用を説明する。
【００６１】
（比較例１）
まず、比較例１に係る立体表示装置１Ｒについて説明する。この立体表示装置１Ｒは、液晶バリア部１０Ｒの透明電極をいわゆる４ドメインで構成したものである。
【００６２】
図１３，１４は、本比較例１に係る液晶バリア部１０Ｒの透明電極層１５の一構成例を表すものである。
【００６３】
図１３に示したように、液晶バリア部１０Ｒの透明電極層１５には、開閉部１１に対応する透明電極１１０Ｒと、開閉部１２に対応する透明電極１２０Ｒが並設されており、透明電極１１０Ｒ，１２０Ｒには、それぞれ、幹部分６１の延伸方向に沿ってサブ電極領域７０Ｒが並設されている。各サブ電極領域７０Ｒは、幹部分６２Ｒを有している。幹部分６２Ｒは、幹部分６１と交差するとともに、水平方向Ｘに延伸するように形成されている。隣り合う透明電極１１０Ｒにおけるサブ電極領域７０Ｒは、幹部分６２Ｒの延伸方向と同じ水平方向Ｘ（配列方向ＤirR）に配列しており、隣り合う透明電極１２０Ｒにおけるサブ電極領域７０Ｒもまた、この水平方向Ｘ（配列方向ＤirR）に配列している。
【００６４】
図１４に示したように、各サブ電極領域７０Ｒには、幹部分６１および幹部分６２Ｒにより区切られた４つの枝領域（ドメイン）７１Ｒ〜７４Ｒ（後述）が設けられている。枝部分６３は、各枝領域７１Ｒ〜７４Ｒにおいて、幹部分６１，６２Ｒから延びるように形成されている。枝領域７１Ｒの枝部分６３の延伸方向と、枝領域７３Ｒの枝部分６３の延伸方向とは、垂直方向Ｙを軸として線対称になっており、同様に、枝領域７２Ｒの枝部分６３の延伸方向と、枝領域７４Ｒの枝部分６３の延伸方向とは、垂直方向Ｙを軸として線対称になっている。また、枝領域７１Ｒの枝部分６３の延伸方向と、枝領域７２Ｒの枝部分６３の延伸方向とは、水平方向Ｘを軸として線対称になっており、同様に、枝領域７３Ｒの枝部分６３の延伸方向と、枝領域７４Ｒの枝部分６３の延伸方向とは、水平方向Ｘを軸としては線対称になっている。この例では、具体的には、枝領域７１Ｒ，７４Ｒの枝部分６３は、水平方向Ｘから反時計まわりに所定の角度φだけ回転させた方向に延伸しており、枝領域７２Ｒ，７３Ｒの枝部分６３は、水平方向Ｘから時計まわりに所定の角度φだけ回転させた方向に延伸している。角度φは、例えば４５度である。液晶層１９の液晶分子Ｍは、図１４に示したように、これらの枝領域７１Ｒ〜７４Ｒにおける枝部分６３の延伸方向に配向する。このように構成することにより、立体表示装置１Ｒでは、視野角特性が、左右方向および上下方向に対称になる。
【００６５】
図１５は、立体視表示に係る開閉部１２の電極パターンを表すものであり、映像信号ＳＡが供給された場合を示す。図１５では、図１１（Ａ）と同様に、映像信号ＳＡが供給された場合において開状態（透過状態）になっている開閉部１２Ａの電極パターンのみを示している。
【００６６】
本比較例１では、図１３に示したように、隣り合う透明電極１２０Ｒにおけるサブ電極領域７０Ｒは、水平方向Ｘ（配列方向ＤirR）に並んでいるため、透明電極１２０Ｒにおける枝領域（ドメイン）７１Ｒ〜７４Ｒの境界部分は、水平方向Ｘ（配列方向ＤirR）に延びる一直線上（ドメイン境界線ＬＤ上）に配列する。具体的には、枝領域７１Ｒ，７３Ｒと枝領域７２Ｒ，７４Ｒとの間の境界部分は、ドメイン境界線ＬＤ上に配列する。言い換えれば、幹部分６２Ｒ、および、開閉部１２の延伸方向に隣接するサブ電極領域７０Ｒ間の境界部分は、ドメイン境界線ＬＤ上に配列する。これらの枝領域（ドメイン）７１Ｒ〜７４Ｒの境界部分では、透明電極層１７および透明電極１２０Ｒ間に電圧を印加しても、液晶層１９における液晶分子の配向が不十分になるため、十分に光を透過することができない。すなわち、このドメイン境界線ＬＤは、いわゆる暗線となる。
【００６７】
図１６（Ａ）は、表示部２０のブラックマトリクスと、液晶バリア部１０Ｒのドメイン境界線ＬＤの相対関係を表すものであり、図１６（Ｂ）は、表示画面に現れるモアレを表すものである。図１６（Ａ）では、説明の便宜上、表示部２０におけるブラックマトリクスのうち、横方向に延びるブラックマトリクス（遮光線ＬＢＭ）のみを示している。
【００６８】
図１６（Ａ）に示したように、表示部２０の遮光線ＬＢＭと、液晶バリア部１０Ｒのドメイン境界線ＬＤとは、ともに立体表示装置１Ｒの表示面内において水平方向Ｘに延びている。また、表示部２０および液晶バリア部１０Ｒは、図２に示したように、観察者が立体表示装置１Ｒを観察するときの奥行き方向に並んで配置されている。これにより、立体表示装置１Ｒと観察者との位置関係によっては、垂直方向Ｙの方向における、遮光線ＬＢＭの配置周期とドメイン境界線ＬＤＲの配置周期との間にずれが生じ、観察者は、図１６（Ｂ）に示したようなモアレを観察するおそれがある。具体的には、例えば、ドメイン境界線ＬＤと遮光線ＬＢＭがほぼ重なっている表示画面領域では、明部Ｒ１になり、ドメイン境界線ＬＤと遮光線ＬＢＭとが大きくずれている表示画面領域は、暗部Ｒ２になる。このようにして、観察者は、明部Ｒ１と暗部Ｒ２の輝度差をモアレとして感じてしまう。
【００６９】
このように、本比較例に係る立体表示装置１Ｒでは、図１３に示したように、隣り合う透明電極１２０Ｒ（１１０Ｒ）におけるサブ電極領域７０Ｒを水平方向Ｘ（配列方向ＤirR）に配列したので、ドメイン境界線ＬＤもまた水平方向Ｘに延びるため、そのドメイン境界線ＬＤと、水平方向Ｘに延びる表示部２０の遮光線ＬＢＭとの間で干渉することにより、モアレが生じてしまう。
【００７０】
一方、本実施の形態に係る立体表示装置１では、図８に示したように、各透明電極１１０，１２０を、いわゆる２ドメインの構成とし、水平方向Ｘにドメイン境界が生じないようにしたので、モアレが発生するおそれを低減することができる。
【００７１】
（比較例２）
次に、比較例２に係る立体表示装置１Ｓ，１Ｔについて説明する。この立体表示装置１Ｓ，１Ｔの液晶バリア部１０Ｓ，１０Ｔでは、透明電極１１１，１１２のうちの一方のみを用いて開閉部１１を構成するとともに、透明電極１２１，１２２のうちの一方のみを用いて開閉部１２を構成している。
【００７２】
図１７は、本比較例２に係る液晶バリア部１０Ｓの透明電極層１５の一構成例を表すものである。液晶バリア部１０Ｓの透明電極層１５には、開閉部１１に対応する透明電極１１１と、開閉部１２に対応する透明電極１２１が、水平方向Ｘに沿って交互に並設されている。そして、並設された透明電極１２１が、交互に開閉部１２Ａおよび開閉部１２Ｂを構成するようになっている。
【００７３】
図１８は、立体表示装置１Ｓにおける立体視表示に係る開閉部１２の電極パターンを表すものであり、（Ａ）は映像信号ＳＡが供給された場合を示し、（Ｂ）は映像信号ＳＢが供給された場合を示す。
【００７４】
映像信号ＳＡが供給された場合には、図１８（Ａ）に示したように、開閉部１２Ａが開状態になり、映像信号ＳＢが供給された場合には、図１８（Ｂ）に示したように、開閉部１２Ｂが開状態になる。このとき、液晶バリア部１０Ｓでは、開閉部１２は透明電極１２１のみにより構成されているため、開閉部１２における液晶分子Ｍの配向パターンは、互いに等しいものになる。
【００７５】
図１９（Ａ）は、立体視表示時における、立体表示装置１Ｓの視野角特性を表すものである。図１９（Ａ）に示したように、等高線は、左右方向においては対称であるものの、上下方向においては非対称になっている。具体的には、立体表示装置１Ｓでは、図１９（Ａ）に示したように、例えば、表示画面に向かって、上方向の所定角度から見た明るさが、下方向のその所定角度から見た明るさに比べて明るくなっている。すなわち、立体表示装置１Ｓの視野角特性は、上下方向において非対称になっている。
【００７６】
次に、本比較例２として、液晶バリア部１０Ｓとは異なる液晶バリア部１０Ｔを有する立体表示装置１Ｔについて説明する。
【００７７】
図２０は、本比較例２に係る液晶バリア部１０Ｔの透明電極層１５の一構成例を表すものである。液晶バリア部１０Ｔの透明電極層１５には、開閉部１１に対応する透明電極１１２と、開閉部１２に対応する透明電極１２２が、水平方向Ｘに沿って交互に並設されている。すなわち、この液晶バリア部１０Ｔは、液晶バリア部１０Ｓにおいて、透明電極１１１の代わりに透明電極１１２を用い、透明電極１２１の代わりに透明電極１２２を用いたものである。
【００７８】
図１９（Ｂ）は、立体視表示時における、立体表示装置１Ｔの視野角特性を表すものである。図１９（Ｂ）に示したように、立体表示装置１Ｔの視野角特性は、立体表示装置１Ｓの場合（図１９（Ａ））と同様に、上下方向において非対称になっている。具体的には、立体表示装置１Ｔでは、図１９（Ｂ）に示したように、例えば、表示画面に向かって、下方向の所定角度から見た明るさが、上方向のその所定角度から見た明るさに比べて明るくなっている。このように、立体表示装置１Ｓにおける透明電極１２１と、立体表示装置１Ｔにおける透明電極１２２との電極パターンの違いに対応して、図１９（Ａ），（Ｂ）に示したように、視野角特性が互いに異なっている。
【００７９】
なお、ここでは、立体視表示を行う場合における視野角特性を説明したが、通常表示（２次元表示）を行う場合でも同様である。上述したように、通常表示を行う場合には、開閉部１２に加えて開閉部１１も開状態（透過状態）になるが、立体表示装置１Ｓ（図１７）では、開閉部１１は透明電極１１１のみにより構成され、立体表示装置１Ｔ（図２０）では、開閉部１１は透明電極１１２のみにより構成される。よって、立体表示装置１Ｓにおける透明電極１１１と、立体表示装置１Ｔにおける透明電極１１２との電極パターンの違いに対応して、図１９（Ａ），（Ｂ）と同様に、視野角特性が互いに異なる。
【００８０】
一方、本実施の形態における立体表示装置１では、立体視表示を行う場合には、映像信号ＳＡに基づく表示を行う場合と、映像信号ＳＢに基づく表示を行う場合のそれぞれにおいて、互いに異なる電極パターンを有する透明電極１２０（透明電極１２１，１２２）を同時に開状態にしている。また、通常表示を行う場合には、透明電極１２０（透明電極１２１，１２２）に加え、互いに異なる電極パターンを有する透明電極１１０（透明電極１１１，１１２）を同時に開状態にしている。これにより、透明電極１１１，１２１に対応する視野角特性（図１９（Ａ））と、透明電極１１２，１２２に基づく視野角特性（図１９（Ｂ））が混ざり合うことにより、図１２に示したように、左右方向および上下方向に対称な視野角特性を得ることができる。
【００８１】
［効果］
以上のように本実施の形態では、透明電極を２ドメインの構成にしたので、モアレを低減することができる。
【００８２】
また、本実施の形態では、互いに異なる電極パターンを有する透明電極１１０（透明電極１１１，１２１）および透明電極１２０（透明電極１２１，１２２）を用いるようにしたので、視野角特性の設定自由度を高めることができる。
【００８３】
また、本実施の形態では、立体視表示を行う場合において、互いに異なる電極パターンを有する透明電極１２０（透明電極１２１，１２２）を同時に開状態にしたので、左右方向および上下方向に対称な視野角特性を得ることができる。
【００８４】
また、本実施の形態では、通常表示（２次元表示）を行う場合において、透明電極１２０（透明電極１２１，１２２）に加えて、互いに異なる電極パターンを有する透明電極１１０（透明電極１１１，１１２）を同時に開状態にしたので、左右方向および上下方向に対称な視野角特性を得ることができる。
【００８５】
［変形例１−１］
上記実施の形態では、互いに異なる電極パターンを有する透明電極１２０（透明電極１２１，１２２）を同時に開状態したが、これに限定されるものではなく、例えば、互いに異なる電極パターンを有する透明電極１２０（透明電極１２１，１２２）を時分割的に開状態にしてもよい。以下に、そのような液晶バリア部１０Ａを有する立体表示装置１Ａを用いて、その詳細を説明する。
【００８６】
図２１は、液晶バリア部１０Ａにおける透明電極層１５の一構成例を表すものである。この透明電極層１５では、水平方向Ｘに沿って、透明電極１１１，１２１，１１２，１２２が、この順に配置されるとともに、この４本の透明電極を単位Ｕとして繰り返し配置されている。この例では、透明電極１２１は開閉部１２Ａを構成し、透明電極１２２は開閉部１２Ｂを構成し、透明電極１１１，１１２は開閉部１１を構成している。
【００８７】
図２２は、立体表示装置１Ａにおける立体視表示に係る開閉部１２の電極パターンを表すものであり、（Ａ）は映像信号ＳＡが供給された場合を示し、（Ｂ）は映像信号ＳＢが供給された場合を示す。
【００８８】
映像信号ＳＡが供給された場合には、図２２（Ａ）に示したように、開閉部１２Ａが開状態になる。このとき、液晶バリア部１０Ａでは、開閉部１２Ａが、透明電極１２１のみにより構成されている。また、映像信号ＳＢが供給された場合には、図２２（Ｂ）に示したように、開閉部１２Ｂが開状態になる。このとき、液晶バリア部１０Ａでは、開閉部１２Ｂが、透明電極１２２のみにより構成されている。映像信号ＳＡが供給された場合と、映像信号ＳＢが供給された場合とでは、透明電極１２１，１２２の電極パターンの違いに対応して、開閉部１２Ａにおける液晶分子Ｍの配向パターンは、互いに異なったものとなる。
【００８９】
このように、本変形例に係る立体表示装置１Ａでは、互いに異なる電極パターンを有する透明電極１２１，１２２を時分割的に開状態にしたので、左右方向および上下方向に対称な視野角特性を得ることができる。
【００９０】
＜２．第２の実施の形態＞
次に、第２の実施の形態に係る立体表示装置２について説明する。本実施の形態は、開閉部１２がグループを構成せず、立体視表示において全ての開閉部１２を開状態にするものである。なお、上記第１の実施の形態に係る立体表示装置１と実質的に同一の構成部分には同一の符号を付し、適宜説明を省略する。
【００９１】
図２３は、本実施の形態に係る液晶バリア部９０における透明電極層１５の一構成例を表すものである。この透明電極層１５では、水平方向Ｘに沿って、透明電極１１１，１２１，１１２，１２２が、この順に配置されるとともに、この４本の透明電極を単位Ｕとして繰り返し配置されている。この例では、透明電極１２１，１２２は開閉部１２を構成し、透明電極１１１，１１２は開閉部１１を構成している。
【００９２】
図２４は、立体表示装置２における立体視表示に係る開閉部１２の電極パターンを表すものである。立体表示装置２では、立体視表示時において、全ての開閉部１２が開状態になる。液晶層１９における液晶分子Ｍは、図２４に示したように、これらの透明電極１２１，１２２の枝部分６３の延伸方向に配向する。このとき、透明電極１２１，１２２の電極パターンの違いに対応して、隣接する開閉部１２における液晶分子Ｍの配向パターンは、互いに異なったものとなる。
【００９３】
このように、本変形例に係る立体表示装置２では、開閉部１２を時分割的に開閉動作せずに立体視表示を行う場合において、互いに異なる電極パターンを有する透明電極１２１，１２２を用いるようにしたので、左右方向および上下方向に対称な視野角特性を得ることができる。
【００９４】
［変形例２−１］
上記実施の形態では、透明電極１１０（透明電極１１１，１１２）および透明電極１２０（透明電極１２１，１２２）を、いわゆる２ドメインで構成したが、これに限定されるものではなく、これに代えて、例えば、１ドメインで構成してもよい。以下に、そのような液晶バリア部９０Ａを有する立体表示装置２Ａを用いて、その詳細を説明する。
【００９５】
図２５は、本変形例に係る液晶バリア部９０Ａにおける透明電極層１５の一構成例を表すものである。透明電極層１５は、開閉部１１に係る透明電極２１１〜２１４、および開閉部１２に係る透明電極２２１〜２２４を有している。
【００９６】
透明電極２１１〜２１４，２２１〜２２４は、いわゆる１ドメインの電極であり、幹部分６１の片側にのみ枝領域が設けられ、その枝領域において、枝部分６３がその幹部分６１から延びるように形成されている。
【００９７】
具体的には、透明電極２１１では、枝部分６３は、図２５において、幹部分６１の右側にのみ形成され、水平方向Ｘから時計まわりに所定の角度φだけ回転させた方向に延伸している。透明電極２１２では、枝部分６３は、幹部分６１の左側にのみ形成され、水平方向Ｘから反時計まわりに所定の角度φだけ回転させた方向に延伸している。透明電極２１３では、枝部分６３は、幹部分６１の右側にのみ形成され、水平方向Ｘから反時計まわりに所定の角度φだけ回転させた方向に延伸している。透明電極２１４では、枝部分６３は、幹部分６１の左側にのみ形成され、水平方向Ｘから時計まわりに所定の角度φだけ回転させた方向に延伸している。
【００９８】
また、透明電極２２１では、枝部分６３は、図２５において、幹部分６１の右側にのみ形成され、水平方向Ｘから反時計まわりに所定の角度φだけ回転させた方向に延伸している。透明電極２２２では、枝部分６３は、幹部分６１の左側にのみ形成され、水平方向Ｘから時計まわりに所定の角度φだけ回転させた方向に延伸している。透明電極２２３では、枝部分６３は、幹部分６１の右側にのみ形成され、水平方向Ｘから時計まわりに所定の角度φだけ回転させた方向に延伸している。透明電極２２４では、枝部分６３は、幹部分６１の左側にのみ形成され、水平方向Ｘから反時計まわりに所定の角度φだけ回転させた方向に延伸している。
【００９９】
透明電極２１１〜２１４，２２１〜２２４は、水平方向Ｘに沿って、透明電極２１１，２２１，２１２，２２２，２１３，２２３，２１４，２２４の順に配置されるとともに、この８本の透明電極を単位Ｕとして繰り返し配置されている。
【０１００】
図２６は、立体表示装置２Ａにおける立体視表示に係る開閉部１２の電極パターンを表すものである。この場合でも、透明電極２２１〜２２４の電極パターンの違いに対応して、開閉部１２における液晶分子Ｍの配向パターンは、互いに異なったものとなるため、左右方向および上下方向に対称な視野角特性を得ることができる。
【０１０１】
以上、いくつかの実施の形態および変形例を挙げて本技術を説明したが、本技術はこれらの実施の形態等には限定されず、種々の変形が可能である。
【０１０２】
例えば、上記実施の形態等では、立体表示装置１，２のバックライト３０、表示部２０、液晶バリア部１０（９０）は、この順に配置したが、これに限定されるものではなく、これに代えて、図２７に示したように、バックライト３０、液晶バリア部１０（９０）、表示部２０の順に配置してもよい。
【０１０３】
図２７は、本変形例に係る表示部２０および液晶バリア部１０の動作例を表すものであり、（Ａ）は、映像信号ＳＡが供給された場合を示し、（Ｂ）は映像信号ＳＢが供給された場合を示す。本変形例では、バックライト３０から射出した光は、まず液晶バリア部１０（９０）に入射する。そして、その光のうち、開閉部１２Ａ，１２Ｂを透過した光が表示部２０において変調されるとともに、６つの視点映像を出力するようになっている。
【０１０４】
また、例えば、上記実施の形態等では、開閉部１２は２つのグループを構成したが、これに限定されるものではなく、これに代えて、例えば３つ以上のグループを構成するようにしてもよい。これにより、表示の分解能をさらに改善することができる。以下に、その詳細を説明する。
【０１０５】
図２９は、開閉部１２が３つのグループＡ，Ｂ，Ｃを構成する場合の例を表すものである。上記実施の形態と同様に、開閉部１２ＡはグループＡに属する開閉部１２を示し、開閉部１２ＢはグループＢに属する開閉部１２を示し、開閉部１２ＣはグループＣに属する開閉部１２を示す。
【０１０６】
このように、開閉部１２Ａ，１２Ｂ，１２Ｃを時分割的に交互に開放して映像を表示することにより、この変形例に係る立体表示装置は、開口部１２Ａのみをもつ場合に比べ、３倍の解像度を実現することが可能となる。言い換えれば、この立体表示装置の解像度は、２次元表示の場合に比べ１／２（＝１／６×３）で済むこととなる。
【０１０７】
また、例えば、上記実施の形態等では、一例として、開閉部１１の幅Ｅ１は、開閉部１２の幅Ｅ２より広い（Ｅ２＞Ｅ１）として図示したが、これに限定されるものではなく、開閉部１１の幅Ｅ１と開閉部１２の幅Ｅ２とが互いに等しく（Ｅ１＝Ｅ２）してもよいし、開閉部１１の幅Ｅ１を、開閉部１２の幅Ｅ２より狭く（Ｅ１＜Ｅ２）してもよい。図３０，３１に、上記第２の実施の形態に係る立体表示装置２およびその変形例に係る立体表示装置２Ａにおいて、開閉部１１の幅Ｅ１と開閉部１２の幅Ｅ２とを等しく（Ｅ１＝Ｅ２）した場合の一例をそれぞれ示す。
【０１０８】
また、例えば、上記実施の形態等では、映像信号ＳＡ，ＳＢが６つの視点映像を含むようにしたが、これに限定されるものではなく、５つ以下の視点映像や、７つ以上の視点映像を含むようにしてもよい。この場合、図９に示した液晶バリア部１０の開閉部１２Ａ，１２Ｂと、画素Ｐixとの関係も変化する。すなわち、例えば、映像信号ＳＡ，ＳＢが５つの視点映像を含む場合には、開閉部１２Ａは、表示部２０の５つの画素Ｐixに１つの割合で設けることが望ましく、同様に、開閉部１２Ｂは、表示部２０の５つの画素Ｐixに１つの割合で設けることが望ましい。
【０１０９】
また、例えば、上記実施の形態等では、表示部２０は液晶表示部としたが、これに限定されるものではなく、これに代えて、例えば有機ＥＬ（Electro Luminescence）などを用いたＥＬ表示部であってもよい。この場合、図１に示したバックライト駆動部４２およびバックライト３０は不要となる。
【０１１０】
なお、本技術は以下のような構成とすることができる。
【０１１１】
（１）映像を表示する表示部と、
液晶層とバリア電極とを含み、光を透過および遮断する、所定の方向に延伸する複数の液晶バリアを有する液晶バリア部と
を備え、
前記バリア電極は、
前記所定の方向に延伸する幹部分と、
前記幹部分から延伸する複数の枝部分と
を有し、
前記液晶バリア部は、１の系列の液晶バリアを少なくとも含み、
前記１の系列の液晶バリアは、互いに異なるパターンの前記バリア電極を有する
表示装置。
【０１１２】
（２）前記液晶バリア部は、複数の第１系列の液晶バリアと複数の第２系列の液晶バリアとを有し、
同一系列の液晶バリアは、互いに異なるパターンの前記バリア電極を有する
前記（１）に記載の表示装置。
【０１１３】
（３）前記バリア電極は、前記幹部分に対して互いに反対側に形成された複数の第１の枝部分および複数の第２の枝部分を有し、
前記第１の枝部分は、前記第２の枝部分の延伸方向と異なる方向に延伸する
前記（２）に記載の表示装置。
【０１１４】
（４）同一系列の互いに隣接する所定数の液晶バリアに属するバリア電極の前記第１の枝部分は、互いに同じ方向に延伸し、
同一系列の互いに隣接する所定数の液晶バリアに属するバリア電極の前記第２の枝部分は、互いに同じ方向に延伸する
前記（３）に記載の表示装置。
【０１１５】
（５）同一系列の互いに隣接する一組の液晶バリアのうちの一方の液晶バリアに属するバリア電極の前記第１の枝部分は、他方の液晶バリアに属するバリア電極の前記第１の枝部分の延伸方向と異なる方向に延伸し、
同一系列の互いに隣接する一組の液晶バリアのうちの一方の液晶バリアに属するバリア電極の前記第２の枝部分は、他方の液晶バリアに属するバリア電極の前記第２の枝部分の延伸方向と異なる方向に延伸する
前記（３）に記載の表示装置。
【０１１６】
（６）前記複数の枝部分は、
前記幹部分に対して互いに反対側に配置された第１の枝領域および第２の枝領域のうちのいずれか一方において同じ方向に延伸する
前記（２）に記載の表示装置。
【０１１７】
（７）同一系列の互いに隣接する一組の液晶バリアのうちの一方の液晶バリアに属するバリア電極の前記枝部分は、他方の液晶バリアに属するバリア電極の前記枝部分とは異なる枝領域に形成されている
前記（６）に記載の表示装置。
【０１１８】
（８）同一系列の互いに隣接する所定数の液晶バリアに属するバリア電極の前記枝部分は、互いに同じ方向に延伸する
前記（６）に記載の表示装置。
【０１１９】
（９）前記液晶層の一方の側に設けられ、前記表示部の表示面内における垂直方向および水平方向のうちの一方の方向に偏光した光を通過させる第１の偏光板と、
前記液晶層の、前記第１の偏光板が設けられた側とは反対側に設けられ、前記垂直方向および前記水平方向のうちの他方の方向に偏光した光を通過させる第２の偏光板と
をさらに備え、
前記複数の枝部分は、前記水平方向から時計まわりもしくは反時計まわりに４５度傾いた方向に延伸する
前記（１）から（８）のいずれかに記載の表示装置。
【０１２０】
（１０）前記所定の方向は、前記表示部の表示面内における垂直方向および水平方向のどちらとも異なる方向である
前記（１）から（９）のいずれかに記載の表示装置。
【０１２１】
（１１）３次元映像表示モードおよび２次元映像表示モードを含む複数の表示モードを有し、
前記３次元映像表示モードでは、前記表示部が複数の異なる視点映像を表示し、前記複数の第１系列の液晶バリアが透過状態になるとともに、前記複数の第２系列の液晶バリアが遮断状態になることにより、３次元映像を表示し、
前記２次元映像表示モードでは、前記表示部が１つの視点映像を表示し、前記複数の第１系列の液晶バリアおよび前記複数の第２系列の液晶バリアが透過状態になることにより、２次元映像を表示する
前記（２）から（８）のいずれかに記載の表示装置。
【０１２２】
（１２）前記複数の第１系列の液晶バリアは、複数のバリアグループにグループ分けされ、
前記３次元映像表示モードでは、前記複数の第１系列の液晶バリアは、バリアグループごとに、時分割的に透過状態および遮断状態との間で切り換わる
前記（１１）に記載の表示装置。
【０１２３】
（１３）前記表示部は液晶表示部であり、
バックライトをさらに備え、
前記液晶表示部は、前記バックライトと前記液晶バリア部との間に配置されている
前記（１）から（１２）のいずれかに記載の表示装置。
【０１２４】
（１４）前記表示部は液晶表示部であり、
バックライトをさらに備え、
前記液晶バリア部は、前記バックライトと前記液晶表示部との間に配置されている
前記（１）から（１２）のいずれかに記載の表示装置。
【０１２５】
（１５）映像を表示する表示部の表示面と離間して配置され、液晶層とバリア電極を含み、光を透過および遮断する、所定の方向に延伸する複数の液晶バリアを備え、
前記バリア電極は、
前記所定の方向に延伸する幹部分と、
前記幹部分から延伸する複数の枝部分と
を有し、
前記液晶バリアは、少なくとも１の系列を構成し、
前記１の系列の液晶バリアは、互いに異なるパターンの前記バリア電極を有する
バリア装置。
【符号の説明】
【０１２６】
１，２…立体表示装置、１０，９０…液晶バリア部、１１，１２，１２Ａ，１２Ｂ…開閉部、１３，１６…透明基板、１４，１８…偏光板、１５，１７…透明電極層、１９…液晶層、２０…表示部、３０…バックライト、４０…制御部、４１…バリア駆動部、４２…バックライト駆動部、５０…表示駆動部、５１…タイミング制御部、５２…ゲートドライバ、５３…データドライバ、６１…幹部分、６３…枝部分、７１，７２…枝領域、１１０〜１１２，１２０〜１２２，２１１〜２１４，２２１〜２２４…透明電極、２０１…駆動基板、２０２…画素電極、２０３…液晶層、２０４…対向電極、２０５…対向基板、２０６ａ，２０６ｂ…偏光板、Ａ，Ｂ…グループ、Ｃ…保持容量素子、ＣＢＬ…バックライト制御信号、ＣＢＲ…バリア制御信号、Ｃｓ…保持容量線、Ｄ…データ線、Ｇ…ゲート線、ＬＣ…液晶素子、ＬＢＭ…遮光線、Ｍ…液晶分子、Ｐix…画素、Ｓ，Ｓ１，ＳＡ，ＳＢ，Ｓdisp…映像信号、ＳＰix…サブ画素、Ｔｒ…ＴＦＴ素子、Ｕ…単位、θ，φ…角度。
【図１】
2012226151.tif 000003
【図２】
2012226151.tif 000004
【図３】
2012226151.tif 000005
【図４】
2012226151.tif 000006
【図５】
2012226151.tif 000007
【図６】
2012226151.tif 000008
【図７】
2012226151.tif 000009
【図８】
2012226151.tif 000010
【図９】
2012226151.tif 000011
【図１０】
2012226151.tif 000012
【図１１】
2012226151.tif 000013
【図１２】
2012226151.tif 000014
【図１３】
2012226151.tif 000015
【図１４】
2012226151.tif 000016
【図１５】
2012226151.tif 000017
【図１６】
2012226151.tif 000018
【図１７】
2012226151.tif 000019
【図１８】
2012226151.tif 000020
【図１９】
2012226151.tif 000021
【図２０】
2012226151.tif 000022
【図２１】
2012226151.tif 000023
【図２２】
2012226151.tif 000024
【図２３】
2012226151.tif 000025
【図２４】
2012226151.tif 000026
【図２５】
2012226151.tif 000027
【図２６】
2012226151.tif 000028
【図２７】
2012226151.tif 000029
【図２８】
2012226151.tif 000030
【図２９】
2012226151.tif 000031
【図３０】
2012226151.tif 000032
【図３１】
2012226151.tif 000033